【手続補正書】
【提出日】平成22年1月29日(2010.1.29)
【手続補正１】
【補正対象書類名】特許請求の範囲
【補正対象項目名】全文
【補正方法】変更
【補正の内容】
【特許請求の範囲】
【請求項１】
測光対象の露光量を取得する露光量取得手段と、
前記露光量取得手段が取得した露光量に基づいて、予め設定された露出値の露出補正値を取得する露出補正値取得手段と、
前記露出補正値取得手段により取得された前記露出補正値と前記露光量取得手段により取得された前記露光量とを記憶する記憶手段と、
前記記憶手段により前記露光量と前記露出補正値とが記憶された後に前記露光量取得手段により取得された露光量を現露光量として保持する保持手段と、
前記記憶手段により記憶された前記露光量と前記保持手段により保持された前記現露光量との露光量の差を取得する露光量差取得手段と、
前記露光量差取得手段が取得した前記露光量の差に基いて前記露出補正値を変更する露出補正値変更手段と、を備えた、
ことを特徴とする露出制御装置。
【請求項２】
前記露出補正値変更手段は、前記露光量差取得手段が取得した前記露光量の差が予め設定された閾値以上となったときには前記露出補正値を予め定められた基準値に変更する一方で、前記露光量の差が予め設定された閾値未満のときには前記露出補正値を維持する、
ことを特徴とする請求項１に記載の露出制御装置。
【請求項３】
測光対象の露光量を取得する露光量取得手段と、
前記露光量取得手段が取得した露光量に基づいて、予め設定された露出値の露出補正値を取得する露出補正値取得手段と、
前記露出補正値取得手段が前記露出補正値を取得したときから時間を計測する時間計測手段と、
前記時間計測手段が計測した時間が予め定められた時間に達したときは、前記露出補正値取得手段が既に取得した前記露出補正値に基いて前記露出補正値を予め定めれられた値に変更する露出補正値変更手段と、を備えた、
ことを特徴とする露出制御装置。
【請求項４】
撮影対象を撮影する撮影手段と、
前記撮影手段により撮影された画像を測光対象として露光量を取得する請求項１乃至３のいずれか１項に記載の露出制御装置と、を備えた、
ことを特徴とする撮影装置。
【請求項５】
シャッタキーが第１のストローク位置まで押下されたときの状態をハーフシャッタ状態と判別し、第２のストローク位置まで押下されたときの状態を全押し状態と判別する判別手段とを更に備え、
前記露出制御装置の前記露出補正値取得手段は、前記判別手段がハーフシャッタ状態と判別したときに、前記露出補正値を取得し、
前記撮影手段は、前記判別手段が前記全押し状態と判別したときに、前記露出補正値取得手段が取得した前記露出補正値又は前記露出補正値変更手段が変更した前記露出補正値に基づいて、前記露光量の露出値を補正し、前記撮影対象を撮影する、
ことを特徴とする請求項４に記載の撮影装置。
【請求項６】
測光対象の露光量を取得する露光量取得ステップと、
測光対象の露光量に基づいて、予め設定された露出値の露出補正値を取得する露出補正値取得ステップと、
前記露出補正値取得ステップにて取得された前記露出補正値と前記露光量取得ステップにて取得された前記露光量とを記憶する記憶ステップと、
前記記憶ステップにて前記露光量と前記露出補正値とが記憶された後に前記露光量取得ステップにて取得された露光量を現露光量として保持する保持ステップと、
前記記憶ステップにて記憶された前記露光量と前記保持ステップにより保持された前記現露光量との露光量の差を取得する露光量差取得ステップと、
前記露光量差取得ステップにて取得された露光量の差が予め設定された閾値以上になったときは前記露出補正値取得ステップにて取得された前記露出補正値を変更する露出補正値変更ステップと、を有する、
ことを特徴とする露出制御方法。
【請求項７】
測光対象の露光量を取得する露光量取得ステップと、
測光対象の露光量に基づいて、予め設定された露出値の露出補正値を取得する露出補正値取得ステップと、
前記露出補正値取得ステップにて前記露出補正値が取得されたときから時間を計測する時間計測ステップと、
前記時間計測ステップにて計測された前記時間が予め設定された時間に達したときは、既に取得した前記露出補正値を変更する露出補正値変更ステップと、を有する、
ことを特徴とする露出制御方法。
【請求項８】
コンピュータを、
測光対象の露光量を取得する露光量取得手段、
測光対象の露光量に基づいて、予め設定された露出値の露出補正値を取得する露出補正値取得手段、
前記露出補正値取得手段により取得された前記露出補正値と前記露光量取得手段により取得された前記露光量とを記憶する記憶手段、
前記記憶手段により前記露光量と前記露出補正値とが記憶された後に前記露光量取得手段により取得された露光量を現露光量として保持する保持手段、
前記記憶手段により記憶された前記露光量と前記保持手段により保持された前記現露光量との露光量の差を取得する露光量差取得手段、
前記露光量差取得手段により取得された前記露光量の差に基いて前記露出補正値を変更する露出補正値変更手段、
として機能させることを特徴とするプログラム。
【請求項９】
コンピュータを、
測光対象の露光量を取得する露光量取得手段、
前記露光量取得手段により取得された前記露光量に基づいて、予め設定された露出値の露出補正値を取得する露出補正値取得手段、
前記露出補正値取得手段により前記露出補正値を取得したときから時間を計測する時間計測手段、
前記時間計測手段により計測された前記時間が予め設定された時間に達したときは、前記露出補正値取得手段により取得された前記露出補正値を変更する露出補正値変更手段、
として機能させることを特徴とするプログラム。
【手続補正２】
【補正対象書類名】明細書
【補正対象項目名】発明の名称
【補正方法】変更
【補正の内容】
【発明の名称】露出制御装置、撮影装置、露出制御方法及びプログラム
【手続補正３】
【補正対象書類名】明細書
【補正対象項目名】０００１
【補正方法】変更
【補正の内容】
【０００１】
本発明は、露出制御装置、撮影装置、露出制御方法及びプログラムに関するものである。
【手続補正４】
【補正対象書類名】明細書
【補正対象項目名】０００６
【補正方法】変更
【補正の内容】
【０００６】
本発明は、このような従来の問題点に鑑みてなされたもので、露出補正の操作性を向上させることが可能な露出制御装置、撮影装置、露出制御方法及びプログラムを提供することを目的とする。
【手続補正５】
【補正対象書類名】明細書
【補正対象項目名】０００７
【補正方法】変更
【補正の内容】
【０００７】
この目的を達成するため、請求項１に記載の露出制御装置における発明は、
測光対象の露光量を取得する露光量取得手段と、
前記露光量取得手段が取得した露光量に基づいて、予め設定された露出値の露出補正値を取得する露出補正値取得手段と、
前記露出補正値取得手段により取得された前記露出補正値と前記露光量取得手段により取得された露光量とを記憶する記憶手段と、
前記記憶手段により前記露光量と前記露出補正値とが記憶された後に前記露光量取得手段により取得された露光量を現露光量として保持する保持手段と、
前記記憶手段により記憶された前記露光量と前記保持手段により保持された前記現露光量との露光量の差を取得する露光量差取得手段と、
前記露光量差取得手段が取得した前記露光量の差に基いて前記露出補正値を変更する露出補正値変更手段と、を備えたことを特徴とする。
【手続補正６】
【補正対象書類名】明細書
【補正対象項目名】０００８
【補正方法】変更
【補正の内容】
【０００８】
また、請求項２に記載の発明は、請求項１に記載の露出制御装置であって、
前記露出補正値変更手段は、前記露光量差取得手段が取得した前記露光量の差が予め設定された閾値以上となったときには前記露出補正値を予め定められた基準値に変更する一方で、前記露光量の差が予め設定された閾値未満のときには前記露出補正値を維持することを特徴とする。
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】変更
【補正の内容】
【００１１】
また、請求項３に記載の露出制御装置における発明は、
測光対象の露光量を取得する露光量取得手段と、
前記露光量取得手段が取得した露光量に基づいて、予め設定された露出値の露出補正値を取得する露出補正値取得手段と、
前記露出補正値取得手段が前記露出補正値を取得したときから時間を計測する時間計測手段と、
前記時間計測手段が計測した時間が予め定められた時間に達したときは、前記露出補正値取得手段が既に取得した前記露出補正値に基いて前記露出補正値を予め定めれられた値に変更する露出補正値変更手段と、を備えたことを特徴とする。
【手続補正１０】
【補正対象書類名】明細書
【補正対象項目名】００１２
【補正方法】変更
【補正の内容】
【００１２】
また、請求項４に記載の撮影装置における発明は、
撮影対象を撮影する撮影手段と、
前記撮影手段により撮影された画像を測光対象として露光量を取得する請求項１乃至３のいずれか１項に記載の露出制御装置と、を備えたことを特徴とする。
【手続補正１１】
【補正対象書類名】明細書
【補正対象項目名】００１３
【補正方法】変更
【補正の内容】
【００１３】
また、請求項５に記載の発明は、請求項４に記載の撮影装置であって、
シャッタキーが第１のストローク位置まで押下されたときの状態をハーフシャッタ状態と判別し、第２のストローク位置まで押下されたときの状態を全押し状態と判別する判別手段とを更に備え、
前記露出制御装置の前記露出補正値取得手段は、前記判別手段がハーフシャッタ状態と判別したときに、前記露出補正値を取得し、
前記撮影手段は、前記判別手段が前記全押し状態と判別したときに、前記露出補正値取得手段が取得した前記露出補正値又は前記露出補正値変更手段が変更した前記露出補正値に基づいて、前記露光量の露出値を補正し、前記撮影対象を撮影する、ことを特徴とする。
【手続補正１２】
【補正対象書類名】明細書
【補正対象項目名】００１４
【補正方法】変更
【補正の内容】
【００１４】
また、請求項６に記載の露出制御方法における発明は、
測光対象の露光量を取得する露光量取得ステップと、
測光対象の露光量に基づいて、予め設定された露出値の露出補正値を取得する露出補正値取得ステップと、
前記露出補正値取得ステップにて取得された前記露出補正値と前記露光量取得ステップにて取得された前記露光量とを記憶する記憶ステップと、
前記記憶ステップにて前記露光量と前記露出補正値とが記憶された後に前記露光量取得ステップにて取得された露光量を現露光量として保持する保持ステップと、
前記記憶ステップにて記憶された前記露光量と前記保持ステップにより保持された前記現露光量との露光量の差を取得する露光量差取得ステップと、
前記露光量差取得ステップにて取得された露光量の差が予め設定された閾値以上になったときは前記露出補正値取得ステップにて取得された前記露出補正値を変更する露出補正値変更ステップと、を有することを特徴とする。
【手続補正１３】
【補正対象書類名】明細書
【補正対象項目名】００１５
【補正方法】変更
【補正の内容】
【００１５】
また、請求項７に記載の露出制御方法における発明は、
測光対象の露光量を取得する露光量取得ステップと、
測光対象の露光量に基づいて、予め設定された露出値の露出補正値を取得する露出補正値取得ステップと、
前記露出補正値取得ステップにて前記露出補正値が取得されたときから時間を計測する時間計測ステップと、
前記時間計測ステップにて計測された前記時間が予め設定された時間に達したときは、既に取得した前記露出補正値を変更する露出補正値変更ステップと、を有することを特徴とする。
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】変更
【補正の内容】
【００１７】
また、請求項８に記載のプログラムにおける発明は、
コンピュータを、
測光対象の露光量を取得する露光量取得手段、
測光対象の露光量に基づいて、予め設定された露出値の露出補正値を取得する露出補正値取得手段、
前記露出補正値取得手段により取得された前記露出補正値と前記露光量取得手段により取得された露光量とを記憶する記憶手段、
前記記憶手段により前記露光量と前記露出補正値とが記憶された後に前記露光量取得手段により取得された露光量を現露光量として保持する保持手段、
前記記憶手段により記憶された前記露光量と前記保持手段により保持された前記現露光量との露光量の差を取得する露光量差取得手段、
前記露光量差取得手段により取得された前記露光量の差に基いて前記露出補正値を変更する露出補正値変更手段、
として機能させることを特徴とする。
【手続補正１６】
【補正対象書類名】明細書
【補正対象項目名】００１８
【補正方法】変更
【補正の内容】
【００１８】
また、請求項９に記載のプログラムにおける発明は、
コンピュータを、
測光対象の露光量を取得する露光量取得手段、
前記露光量取得手段により取得された前記露光量に基づいて、予め設定された露出値の露出補正値を取得する露出補正値取得手段、
前記露出補正値取得手段により前記露出補正値を取得したときから時間を計測する時間計測手段、
前記時間計測手段により計測された前記時間が予め設定された時間に達したときは、前記露出補正値取得手段により取得された前記露出補正値を変更する露出補正値変更手段、
として機能させることを特徴とする。
【手続補正１７】
【補正対象書類名】明細書
【補正対象項目名】００１９
【補正方法】変更
【補正の内容】
【００１９】
本発明によれば、適切な露出補正を行うことができる。